(57)【要約】【課題】比較的簡単な装置で、ベッドに載っている人の離床状態を検知し、更には、遠隔からその人の安否を知ることができる安否確認装置を提供する。【解決手段】ベッド１１の少なくとも一つの脚１２にかかる重さを検知する計重センサー１３と、計重センサー１３の測定重量変化で、使用者１４がベッド１１に載ったこと及び離床したことを検知し、検知した出力を入力として就寝中に使用者１４がベッド１１から離れた時間及び離れた回数から使用者１４の健康状態を掌握する制御器１５と、制御器１５によって判断された使用者１４の状態に異常があった場合、通信回線１６を通じて第三者１７、３０に知らせる通信装置１８とを有する。【選択図】図１
2009087220.tif 000002
【特許請求の範囲】
【請求項１】
ベッドの少なくとも一つの脚にかかる重さを検知する計重センサーと、該計重センサーの測定重量変化で、使用者が前記ベッドに載ったこと及び離床したことを検知し、該検知した出力から就寝中に前記使用者が前記ベッドから離れた時間及び離れた回数を求め、この時間及び回数から前記使用者の健康状態を掌握する制御器と、該制御器によって判断された前記使用者の状態に異常があった場合、通信回線を通じて第三者に知らせる通信装置とを有することを特徴とする安否確認装置。
【請求項２】
請求項１記載の安否確認装置において、前記ベッドでの就寝開始は前記使用者が所定時間以上、前記ベッドに載ったことにより判断することを特徴とする安否確認装置。
【請求項３】
請求項１及び２のいずれか１項に記載の安否確認装置において、前記制御器は第１〜第４のメモリを有し、離床時間がＴ１以上でＴ２以下である第１の異常事態を前記第１のメモリに記憶し、離床時間がＴ１未満であってもＮ回以上である第２の異常事態を前記第２のメモリに記憶し、離床時間がＴ２を超える場合の第３の異常事態を前記第３のメモリに記憶し、前記ベッドに載っている時間がＴ３を超える第４の異常事態を前記第４のメモリに記憶し、前記第１〜第４のメモリに異常事態のデータがない場合には、前記通信装置によって所定の時刻に外部にその状況を知らせ、前記第３又は第４のメモリに第３、第４の異常事態を知らせるデータがある場合は、前記通信装置を介して異常事態を前記第三者に直ちに知らせることを特徴とする安否確認装置。
なお、Ｔ１＜Ｔ２＜Ｔ３となっている。
【請求項４】
請求項１〜３のいずれか１項に記載の安否確認装置において、非常呼び出し手段が設けられ、前記使用者のボタンスイッチの操作によって、この第５の異常事態を前記通信装置を介して前記第三者に知らせることを特徴とする安否確認装置。
【請求項５】
請求項４記載の安否確認装置において、前記非常呼び出し手段は、汎用されている握り押しボタンの保持手段と、該保持手段によって保持された該握り押しボタンを電動で動かす押しボタン操作手段とを有し、前記制御器からの電気信号によって作動することを特徴とする安否確認装置。
【発明の詳細な説明】
【技術分野】
【０００１】
本発明は、ベッドの少なくとも一本の脚に計重センサーを取付け、この計重センサーの測定値からベッド使用者の状況を把握する安否確認装置に関する。
【背景技術】
【０００２】
例えば、特許文献１にはベッド上の人体の寝返り等を位置計測手段で計測して、重量を検知して、人体の寝返りと離床前動作とを区別する離床動作検知装置及び方法が提案されている。また、特許文献２にはベッドから受ける荷重重量を検知するセンサーから患者がベッドにいないことを検知する離床検知装置が提案されている。
【０００３】
【特許文献１】特開２００７−２０８４４号公報
【特許文献２】特開２００４−１０５４１６号公報
【発明の開示】
【発明が解決しようとする課題】
【０００４】
しかしながら、特許文献１、２に記載のものでは、ベッドに載っている人が離床したことは確実に検知できるが、離床状況からその人の具合を第三者に知らせる等の機能は備えていなかった。更には、これらの発明は主として病院や介護施設等で使用するもので、特別に第三者に知らせる機構は備えていない。
従って、ベッドに載っている人の状況を遠隔で監視することは極めて困難であった。
【０００５】
本発明はかかる事情に鑑みてなされたもので、比較的簡単な装置で、ベッドに載っている人の離床状態を検知し、更には、遠隔からその人の安否を知ることができる安否確認装置を提供することを目的とする。
【課題を解決するための手段】
【０００６】
前記目的に沿う第１の発明に係る安否確認装置は、ベッドの少なくとも一つの脚にかかる重さを検知する計重センサーと、該計重センサーの測定重量変化で、使用者が前記ベッドに載ったこと及び離床したことを検知し、該検知した出力から就寝中に前記使用者が前記ベッドから離れた時間及び離れた回数を求め、この時間及び回数から前記使用者の健康状態を掌握する制御器と、該制御器によって判断された前記使用者の状態に異常があった場合、通信回線を通じて第三者に知らせる通信装置とを有する。
【０００７】
また、第２の発明に係る安否確認装置は、第１の発明に係る安否確認装置において、前記ベッドでの就寝開始は前記使用者が所定時間以上、前記ベッドに載ったことにより判断する。ここで、所定時間とは例えば、１０秒乃至５分程度をいう。
【０００８】
第３の発明に係る安否確認装置は、第１、第２の発明に係る安否確認装置において、前記制御器は第１〜第４のメモリを有し、離床時間がＴ１以上でＴ２以下である第１の異常事態を前記第１のメモリに記憶し、離床時間がＴ１未満であってもＮ回以上である第２の異常事態を前記第２のメモリに記憶し、離床時間がＴ２を超える場合の第３の異常事態を前記第３のメモリに記憶し、前記ベッドに載っている時間がＴ３を超える第４の異常事態を前記第４のメモリに記憶し、前記第１〜第４のメモリに異常事態のデータがない場合には、前記通信装置によって所定の時刻に外部にその状況を知らせ、前記第３又は第４のメモリに第３、第４の異常事態を知らせるデータがある場合は、前記通信装置を介して異常事態を前記第三者に直ちに知らせる。
なお、Ｔ１＜Ｔ２＜Ｔ３となっている。ここで、Ｔ１は例えば、４〜１５分、Ｔ２は例えば１〜１．５時間、Ｔ３は例えば９時間〜１５時間程度をいう。Ｎは３〜７程度をいう。また、離床時間がＴ１以上でＴ２以下であることの意味は、Ｔ１以上であればば第１の異常事態とし、Ｔ２を超える離床時間の場合は第１の異常事態を解除することを意味する。
【０００９】
第４の発明に係る安否確認装置は、第１〜第３の発明に係る安否確認装置において、非常呼び出し手段が設けられ、前記使用者のボタンスイッチの操作によって、この第５の異常事態を前記通信装置を介して前記第三者に知らせる。
【００１０】
そして、第５の発明に係る安否確認装置は、第４の発明に係る安否確認装置において、前記非常呼び出し手段は、汎用されている握り押しボタン（ナースコールスイッチ）の保持手段と、該保持手段によって保持された該握り押しボタンを電動で動かす押しボタン操作手段とを有し、前記制御器からの電気信号によって作動する。
【発明の効果】
【００１１】
請求項１〜５記載の安否確認装置は、ベッドの少なくとも一つの脚にかかる重さを検知する計重センサーと、計重センサーの測定重量変化で、使用者がベッドに載ったこと及び離床したことを検知し、検知した出力から就寝中に使用者がベッドから離れた時間及び離れた回数を基にして使用者の健康状態を掌握する制御器と、制御器によって判断された使用者の状態に異常があった場合、通信回線を通じて第三者に知らせる通信装置とを有するので、ベッドから離床した場合には、その状態を計重センサーによって検知し、ベッドから離れた時間及び離れた回数から使用者の健康状態を掌握できる。
そして、これらの状態を通信回線を介して第三者に知らせるので、第三者がベッドの上の状況を把握できる。
【００１２】
特に、請求項２記載の安否確認装置においては、ベッドでの就寝開始は使用者が所定時間以上、ベッドに載ったことにより判断するので、実際の状況にあってより確実に就寝開始を検知できる。
【００１３】
請求項３記載の安否確認装置は、離床した時間がＴ１以上でＴ２以下である第１の異常事態を第１のメモリに記憶し、離床時間がＴ１未満であってもＮ回以上である第２の異常事態を第２のメモリに記憶し、離床時間がＴ２を超える場合の第３の異常事態を第３のメモリに記憶し、ベッドに載っている時間がＴ３を超える第４の異常事態を第４のメモリに記憶し、第１〜第４のメモリに異常事態のデータがない場合には、通信装置によって所定の時刻に外部にその状況を知らせ、第３又は第４のメモリに第３、第４の異常事態を知らせるデータがある場合は、通信装置を介して異常事態を第三者に直ちに知らせるので、ベッドの使用者の離床状態からその状況を予測して、第三者に知らせることができる。
【００１４】
請求項４記載の安否確認装置は、非常呼び出し手段が設けられ、使用者のボタンスイッチの操作によって、この第５の異常事態を通信装置を介して第三者に知らせるので、緊急の場合、ベッドの使用者が直接第三者を呼び出すことが可能となる。
【００１５】
そして、請求項５記載の安否確認装置においては、非常呼び出し手段は、汎用されている握り押しボタン（ナースコールスイッチ）の保持手段と、保持手段によって保持されたナースコールスイッチを電動で動かす押しボタン操作手段とを有するので、従来のナースコールスイッチの配線を変えることなく、そのまま使用できる。特に、ナースコールの配線やコネクターは各社各様であるので、極めて有効な装置である。
【発明を実施するための最良の形態】
【００１６】
続いて、添付した図面を参照しつつ、本発明を具体化した実施の形態につき説明し、本発明の理解に供する。
ここで、図１は本発明の一実施の形態に係る安否確認装置の概略説明図、図２は同安否確認装置の動作を示すフロー図である。
【００１７】
図１に示すように、本発明の一実施の形態に係る安否確認装置１０は、ベッド１１の一つの脚１２の底部に配置された計重センサー１３と、計重センサー１３の測定重量変化で、使用者（人）１４がベッド１１に載ったこと及び離床したことを検知し、検知した出力を基にして就寝中に使用者１４がベッド１１から離れた時間及び離れた回数を求め、これらの時間及び回数から使用者１４の健康状態を掌握する制御器１５と、制御器１５によって判断された使用者１４の状態に異常があった場合、通信回線１６を通じて第三者の一例である監視センター１７に知らせる通信装置の一例である自動通報装置１８とを有する。以下、これらについて詳しく説明する。
【００１８】
計重センサー１３は薄型の歪みゲージ又はロードセル等からなって、ベッド１１の一つの脚１２の底部に配置され、脚１２にかかる重さを検知している。なお、脚１２は計重センサー１３の厚み分だけ他の脚より短くするか、他の脚にも計重センサー１３と同一の厚みの高さ調整材を敷くのがよい。
【００１９】
制御器１５には、計重センサー１３からの出力を測定した重量に比例する電圧とし、この電圧が閾値より大きい場合には、人１４がベッド１１に載っていると判断し、閾値より小さい場合には離床していると判断する離床検出手段（コンパレータ）１９が設けられ、人１４が離床した場合の信号又は人１４がベッド１１の上に載っていることを示す信号を出力するようになっている。なお、この閾値は外部から調製できるようなって、ベッド１１の上に載る人１４の体重に合わせている。
【００２０】
離床検出手段１９の信号はデジタル信号に変換されてマイコン制御部２０に入力されている。なお、計重センサー１３の信号を増幅してデジタル信号に変換し、マイコン制御部２０で閾値制御をすることもできる。
マイコン制御部２０は周知のＣＰＵ、ＲＡＭ、ＲＯＭ及びインターフェイス回路を有し、ＲＯＭ中に記載されているプログラムによって離床検出手段１９からの信号を制御するように構成されている。なお、ＲＡＭには第１〜第４の異常事態をそれぞれ記憶する第１〜第４のメモリが設けられている。
【００２１】
マイコン制御部２０のインターフェイス回路には、離床検出手段１９からの信号が入力されている他、非常用押しボタンスイッチ２１（ボタンスイッチの一例）、病院使用（仕様）と家庭使用（仕様）とを切り替える動作切り替えスイッチ２２、赤色ダイオードからなる表示灯２３、自動通報装置１８への出力信号ケーブル２４、及びナースコール手段としても使用できる非常呼び出し手段３５への出力信号ケーブル２５が接続されている。また、制御器１５にはこれらに直流電源を与えるＡＣアダプター２６を有する。
【００２２】
図２には、マイコン制御部２０のＲＯＭに記載されているプログラムが示されているので、これについて説明し、合わせて安否確認装置１０の動作について説明する。
ステップＳ１では、離床検出手段１９がベッド１１の上から人１４が離床しているか否かを検知する。通常はベッド１１には人１４が載っていないのでその状態（離床状態）をオフとし、人１４がへッド１１に載っている場合はオンとする。
【００２３】
ステップＳ２では、動作切り替えスイッチ２２が病院使用になっているか家庭使用になっているかを検知する。動作切り替えスイッチ２２が家庭用になっている場合はステップＳ３でタイマー（５秒〜５分）がスタートし、ベッド１１の上に人１４が確実にいることを確認する。即ち、このタイマーのカウントアップが就寝開始の信号となる。タイマーのタイムアップをステップＳ４で確認して、第１〜第４の異常事態を記憶する第１〜第４のメモリをクリアにし、表示灯２３をオンにする。（ステップＳ５）。
【００２４】
ステップＳ６で再度、離床検出手段１９の状態を検知する。ここで、離床検出手段１９がオンの状態を検知し（ステップＳ７）、離床検出手段１９のオンの状態がＴ３時間（例えば、９〜１５時間）を超える場合（ステップＳ８）は、ベッド１１の上に載っている人１４が動けなくなっているか、又は死亡している可能性があるので、第４の異常事態と判断して第４のメモリに記憶する（ステップＳ９）。そして、自動通信装置１８を作動させて、その状態を通信回線１６を通じて監視センター１７及び必要な場合は第三者の一例である家庭（家族）３０に知らせる（ステップＳ１０）。
【００２５】
一方、離床検出手段１９がオフになった場合（ステップＳ６）で、離床検出手段１９のオフの状態で、時間Ｔ１（例えば、４〜１５分）より短い時間がＮ回（例えば、３回、４回又は５回以上）以上あった場合（ステップＳ１１）は、第２の異常事態として第２のメモリに記憶する（ステップＳ１２）。そして、離床検出手段１９のオフの時間がＴ１以上となった場合（ステップＳ１３）には、その時間がＴ２（例えば１〜１．５時間）を超えないことを条件にして（ステップＳ１４）に第１の異常事態があったとして第１のメモリに記憶する（ステップＳ１５）。なお、第１の異常事態は、例えば、トイレの時間が長すぎることを、第２の異常事態は例えば、トイレの間隔が短すぎることを意味する。
【００２６】
ステップＳ１４で離床検出手段１９のオフの時間がＴ２を超える場合は、離床して帰って来ないということであるから、第３の異常事態であるとして、第１のメモリを削除して第３のメモリに記憶し（ステップＳ１６）、外部に通信する（ステップＳ１０）。
なお、第１〜第４の異常事態が発生しない場合には、第１〜第４のメモリでそれを確認して、家庭３０等に所定時間（例えば、朝７時３０分）に電話回線でモーニングコール（例えば、こちらは・・・です。・・・さんはお元気です）を行う（ステップＳ１７）。また、第１の異常事態及び第２の異常事態の場合は、家庭３０や監視センター１７には連絡しない。連絡がない場合には、ベッド１１の上の人１４に異常があったことを知ることができるが、家庭３０等にその状況（離床検出手段１９のオンオフ状況）を知らせるようにすることもできる。
【００２７】
一方、動作切り替えスイッチ２２が病院使用の場合には、離床検出手段１９がオンであることを条件にして、ベッド使用の表示灯２３がオンになる（ステップＳ１８）。次に、離床検出手段１９が所定時間（例えば、１〜３秒）以上オフになったことを条件にして（ステップＳ１９）、非常呼び出し手段３５が作動する（ステップＳ２０）。非常呼び出し手段３５は、図１に示すように、通常の病院等に配置されている握り押しボタン（ナースコールスイッチ）３４の保持手段３１と、保持手段３１によって保持された握り押しボタン３４を電動で動かす押しボタン操作手段３２と、これらを収納するケース３３とを有している。
【００２８】
保持手段３１は、各病院に配置されている握り押しボタン３４をケース３３の所定位置に確実に固定できるものであれば、如何なる物も適用でき、例えば、バンド状の面ファスナー、取付け具、クランプ等がある。押しボタン操作手段３２はモータで動かすものやマグネットで動かすものがある。押しボタン操作手段３２はマイコン制御部２０からの信号によって作動する。
【００２９】
従って、マイコン制御部２０からの電気信号で非常呼び出し手段３５が投入されると、押しボタン操作手段３２を構成するモータやソレノイドが作動し（ステップＳ２１）、握り押しボタン３４がオンになる（ステップＳ２２）。その後、一定時間（例えば、１０〜４０秒）休止した後、スタートに戻る（ステップＳ２３）。なお、ステップＳ２０〜２２はプログラムではなく、機器の動作を説明している。
また、動作切り替えスイッチ２２が家庭使用の場合、非常用押しボタンスイッチ２１を使用者１４が作動させると、第５の異常事態となって、自動通報装置１８を介して監視センター１７又は家庭３０に知らせることができ、非常呼び出しが可能となる。また、動作切り替えスイッチ２２が病院使用の場合、非常用押しボタンスイッチ２１は、使用者１４が作動させると、非常呼び出し手段３５を作動させ、ナースコールを行うことになる。
【００３０】
以上の安否確認装置１０によって、ベッド１１を使用する人１４を、離床検出手段１９のオンオフから監視できる。
本発明は具体的に数字を用いて説明したが、本発明の要旨を変更しない範囲での数値変更もあり得る。
また、第１〜第４の異常事態を個別に第１〜第４のメモリに記憶したが、一つのメモリにこれらの状況を信号として記憶することも可能である。
本発明の安否確認装置は家庭用又は病院用としてのみ使用する場合は、不要な回路は省略することもできる。
【図面の簡単な説明】
【００３１】
【図１】本発明の一実施の形態に係る安否確認装置の概略説明図である。
【図２】同安否確認装置の動作を示すフロー図である。
【符号の説明】
【００３２】
１０：安否確認装置、１１：ベッド、１２：脚、１３：計重センサー、１４：使用者（人）、１５：制御器、１６：通信回線、１７：監視センター、１８：自動通報装置、１９：離床検出手段、２０：マイコン制御部、２１：非常用押しボタンスイッチ、２２：動作切り替えスイッチ、２３：表示灯、２４、２５：出力信号ケーブル、２６：ＡＣアダプター、３０：家庭、３１：保持手段、３２：押しボタン操作手段、３３：ケース、３４：握り押しボタン、３５：非常呼び出し手段
【図１】
2009087220.tif 000003
【図２】
2009087220.tif 000004